(57)【要約】      （修正有）【課題】伸縮杆の着脱を速くすることが可能であり、ジョイントは、固定が強固で、耐えられる径方向荷重が向上し、重物を吊るすのに適用できるため、伸縮杆の使用範囲を広げることができる伸縮杆用ジョイントを提供する。【解決手段】伸縮杆カバー（Ａ）１及び伸縮杆カバー（Ｂ）２を含み、伸縮杆カバー（Ａ）１と伸縮杆カバー（Ｂ）２の係合ロックにより外套杆３と内套杆４が套接固定され、伸縮杆カバー（Ａ）１は、一方の端部の外側に套筒が設けられ、他方の端部の内側に環状段差が設けられ、環状段差の内部に対称に配置される２つの凸起が設けられ、伸縮杆カバー（Ｂ）２は、細い筒体及び太い筒体から構成され、細い筒体の本体の外部に凸起とフィットする２つのロック凸起が設けられる。【選択図】図１
0003225401.tif 000002
【実用新案登録請求の範囲】
【請求項１】
伸縮杆カバーＡ（１）及び伸縮杆カバーＢ（２）を含み、前記伸縮杆カバーＡ（１）と前記伸縮杆カバーＢ（２）の係合ロックにより外套杆（３）と内套杆（４）が套接固定され、
前記伸縮杆カバーＡ（１）は、一方の端部の外側に套筒（５）が設けられ、他方の端部の内側に環状段差（８）が設けられ、前記環状段差（８）の内部に対称に配置される２つの凸起（９）が設けられ、
前記伸縮杆カバーＢ（２）は、細い筒体（１１）及び太い筒体（１２）から構成され、前記細い筒体（１１）の本体の外部に前記凸起（９）とフィットする２つのロック凸起（１５）が設けられることを特徴とする、伸縮杆用ジョイント。
【請求項２】
前記ロック凸起（１５）は、前記細い筒体（１１）の本体の外部に対称に設けられた２つのロック位置決めリブ（１６）を含み、
前記ロック位置決めリブ（１６）の一端には、周方向に沿ってロックガイド歯（１７）が設けられることを特徴とする、請求項１に記載の伸縮杆用ジョイント。
【請求項３】
前記ロックガイド歯（１７）は前記細い筒体（１１）の端面と揃っており、前記ロック位置決めリブ（１６）と前記ロックガイド歯（１７）の間に、前記ロック凸起（１５）と前記凸起（９）を係合してロックするためのロック溝（１８）が形成されることを特徴とする、請求項２に記載の伸縮杆用ジョイント。
【請求項４】
前記凸起（９）の一方の端面は、前記環状段差（８）の段差面と揃っており、前記凸起（９）の頂部は弧状構造であることを特徴とする、請求項１に記載の伸縮杆用ジョイント。
【請求項５】
前記套筒（５）は、前記伸縮杆カバーＡ（１）と一体成形し、前記套筒（５）と前記伸縮杆カバーＡ（１）との間に、前記外套杆（３）の一方の端部が挿入して固定する挿接溝（６）が設けられることを特徴とする、請求項１に記載の伸縮杆用ジョイント。
【請求項６】
前記套筒（５）の上縁に、対称に設けられた２つの位置決め溝Ａ（７）が設けられ、
前記位置決め溝Ａ（７）は、三角形構造であることを特徴とする、請求項１に記載の伸縮杆用ジョイント。
【請求項７】
前記細い筒体（１１）は、前記太い筒体（１２）と中心線が共通し、両者の端部が固定接続され、前記細い筒体（１１）と前記太い筒体（１２）の内部空洞が連通されることを特徴とする、請求項１に記載の伸縮杆用ジョイント。
【請求項８】
前記太い筒体（１２）の一方の端部の外側には、前記太い筒体（１２）の外面が前記内套杆（４）の一方の端部に挿入して位置決めする環状凸起（１３）が設けられることを特徴とする、請求項１に記載の伸縮杆用ジョイント。
【請求項９】
前記環状凸起（１３）には、前記位置決め溝Ａ（７）に対応する位置決め溝Ｂ（１４）が設けられることを特徴とする、請求項１に記載の伸縮杆用ジョイント。
【請求項１０】
前記伸縮杆カバーＡ（１）は、本体が筒状であり、内部に空洞が設けられ、
前記伸縮杆カバーＡ（１）の一方の端部の外側が面取りされ、他方の端部の内側が面取りされることを特徴とする、請求項１に記載の伸縮杆用ジョイント。
【考案の詳細な説明】
【技術分野】
【０００１】
本考案は、伸縮杆用ジョイントに関し、家庭用品の技術分野に属する。
【背景技術】
【０００２】
伸縮杆は、日常生活でよく使用されているツールであり、一般的には物を吊るすのに用いられる。従来の伸縮杆は、互いに摺動可能に套設された外套管と内套管から構成され、両套管の套設部において締めつけにより両套管を相対的に固定する。従来の伸縮杆のジョイントは、ナットを回転することにより内外套管の固定を実現している。しかし、ナット回転は、時間がかかり、面倒であるため、伸縮杆の使用が不便であり、作用効率が低くなる。また、ジョイントが耐えられる径方向荷重が小さいため、重物を吊るすのに適用できず、使用範囲には一定の制限がある。
【０００３】
以上より、従来技術は、実際の使用において明らかに不便で欠陥があるため、改善する必要がある。
【考案の概要】
【考案が解決しようとする課題】
【０００４】
本考案は、上記の不足に対して、伸縮杆の着脱を速くする伸縮杆用ジョイントを提供する。当該ジョイントは、固定が強固で、耐えられる径方向荷重が向上し、重物を吊るすのに適用できるため、伸縮杆の使用範囲を広げることができる。
【課題を解決するための手段】
【０００５】
上記問題を解決するために、本考案は、以下の技術的解決策を採用する。
伸縮杆カバーＡ及び伸縮杆カバーＢを含み、前記伸縮杆カバーＡと前記伸縮杆カバーＢの係合ロックにより外套杆と内套杆が套接固定され、前記伸縮杆カバーＡは、一方の端部の外側に套筒が設けられ、他方の端部の内側に環状段差が設けられ、前記環状段差の内部に対称に配置される２つの凸起が設けられ、前記伸縮杆カバーＢは、細い筒体及び太い筒体から構成され、前記細い筒体の本体の外部に前記凸起とフィットする２つのロック凸起が設けられる、伸縮杆用ジョイント。
【０００６】
さらに、前記ロック凸起は、前記細い筒体の本体の外部に対称に設けられた２つのロック位置決めリブを含み、前記ロック位置決めリブの一端には、周方向に沿ってロックガイド歯が設けられる。
【０００７】
さらに、前記ロックガイド歯は前記細い筒体の端面と揃っており、前記ロック位置決めリブと前記ロックガイド歯の間に、前記ロック凸起と前記凸起を係合してロックするためのロック溝が形成される。
【０００８】
さらに、前記凸起の一方の端面は、前記環状段差の段差面と揃っており、前記凸起の頂部は弧状構造である。
【０００９】
さらに、前記套筒は、前記伸縮杆カバーＡと一体成形し、前記套筒と前記伸縮杆カバーＡとの間に、前記外套杆の一方の端部が挿入して固定する挿接溝が設けられる。
【００１０】
さらに、前記套筒の上縁に、対称に設けられた２つの位置決め溝Ａが設けられ、前記位置決め溝Ａは、三角形構造である。
【００１１】
さらに、前記細い筒体は、前記太い筒体と中心線が共通し、両者の端部が固定接続され、前記細い筒体と前記太い筒体の内部空洞が連通される。
【００１２】
さらに、前記太い筒体の一方の端部の外側には、前記太い筒体の外面が前記内套杆の一方の端部に挿入して位置決めする環状凸起が設けられる。
【００１３】
さらに、前記環状凸起には、前記位置決め溝Ａに対応する位置決め溝Ｂが設けられる。
【００１４】
さらに、前記伸縮杆カバーＡは、本体が筒状であり、内部に空洞が設けられ、前記伸縮杆カバーＡの一方の端部の外側が面取りされ、他方の端部の内側が面取りされる。
【考案の効果】
【００１５】
本考案は、従来技術と比較して以下の利点を有する。
本考案に係る伸縮杆用ジョイントは、伸縮杆カバーＡと伸縮杆カバーＢとの間に形成されたセルフロック構造により、外内套杆の套接固定を迅速に実現することができ、伸縮杆カバーＡと伸縮杆カバーＢの係合ロックが便利で速く、時間と労力を節約し、外部ツールを使用する必要がない。また、伸縮杆カバーＡと伸縮杆カバーＢとが形成したジョイントが強固に固定されるため、ジョイントは、伸縮杆の安定性を保証する十分な支持力を有し、ジョイントが耐えられる径方向荷重が増加するため、重いものを吊るすのに適用し、伸縮杆の使用範囲が広がる。本考案は、構造が簡単で、効果が顕著であるため、使用の普及に適している
【００１６】
以下、図面及び実施形態により本考案を詳しく説明する。
【図面の簡単な説明】
【００１７】
【図１】本考案の構造の模式図である。
【図２】本考案に係る伸縮杆カバーＡの構造の模式図である。
【図３】本考案に係る伸縮杆カバーＡの構造の正面図である。
【図４】本考案に係る伸縮杆カバーＡの構造の断面図である。
【図５】本考案に係る伸縮杆カバーＡの構造の平面図である。
【図６】本考案に係る伸縮杆カバーＢの構造の模式図である。
【図７】本考案に係る伸縮杆カバーＢの構造の正面図である。
【図８】本考案に係る伸縮杆カバーＢの構造の断面図である。
【図９】本考案に係る伸縮杆カバーＢの構造の平面図である。
【考案を実施するための形態】
【００１８】
本考案の特徴、目的及び効果をより分かりやすくするために、以下、図面を参照しながら考案を実施するための形態を説明する。
【００１９】
（実施例１）
＜伸縮杆用ジョイント＞
図１に示すように、本考案は、伸縮杆カバーＡ１及び伸縮杆カバーＢ２を含み、伸縮杆カバーＡ１の本体の外部に外套杆３が套設され、伸縮杆カバーＢ２の本体の外部に内套杆４が套設され、外套杆３と内套杆４が伸縮杆カバーＡ１と伸縮杆カバーＢ２との係合ロックにより套接固定される伸縮杆用ジョイントを提供する。
【００２０】
図１から５に示されるように、前記伸縮杆カバーＡ１の本体は筒状であり、内部に空洞が設けられる。伸縮杆カバーＡ１の一方の端部の外側が面取りされることにより、外套杆３が迅速に挿入することができる。伸縮杆カバーＡ１の他方の端部の内側が面取りされることにより、伸縮杆カバーＢ２が迅速に挿入することができる。伸縮杆カバーＡ１の内側が面取りされた端部の外部に伸縮杆カバーＡ１と一体成形した套筒５が設けられる。套筒５と伸縮杆カバーＡ１との間に外套杆３の一方の端部が挿入して固定される挿接溝６が形成される。前記套筒５の上縁に対称の２つの位置決め溝Ａ７が設けられ、位置決め溝Ａ７は三角形構造である。伸縮杆カバーＡ１の外側が面取りされた端部の内部に環状段差８が設けられる。環状段差８の内部に対称に配置された２つの凸起９が設けられ、凸起９の一方の端面が環状段差８の段差面と揃っており、凸起９の頂部が弧状構造であり、凸起９と環状段差８の内面との間に係着するための係着空洞１０が設けられる。
【００２１】
図１、６から９に示されるように、前記伸縮杆カバーＢ２は、中心線が共通する細い筒体１１及び太い筒体１２から構成され、細い筒体１１と太い筒体１２とが一端部で固定接続され、両者の内部空洞が連通される。前記太い筒体１２の細い筒体１１に接続された端部の外側に環状凸起１３が設けられる。環状凸起１３は、太い筒体１２と中心線が共通し、太い筒体１２の外面を内套杆４の端部に套設して位置決めするためのものである。前記環状凸起１３には、位置決め溝Ａ７に対応する対称の２つの位置決め溝Ｂ１４が設けられる。前記太い筒体１２の一方の端部の外側が面取りされることにより、内套杆４が迅速に挿入することができる。前記細い筒体１１の本体の外部に凸起９にフィットする２つのロック凸起１５が設けられる。前記ロック凸起１５は、ロック位置決めリブ１６及びロックガイド歯１７を含む。ロック位置決めリブ１６は、細い筒体１１の本体の外部に対称に２つ設けられる。ロック位置決めリブ１６の一端には、周方向に沿って細い筒体１１の端面と揃っているロックガイド歯１７が設けられる。ロック位置決めリブ１６とロックガイド歯１７との間に形成された夾角は、ロック凸起１５と凸起９とを係合してロックするためのロック溝１８である。
【００２２】
＜本考案の動作原理＞
まず、外套杆３を伸縮杆カバーＡ１の本体の外面に套設して挿接溝６内に挿入して固定し、次に、内套杆４を伸縮杆カバーＢ２の本体の外面に套設して固定し、環状段差８により内套杆４を位置決めする。次いで、伸縮杆カバーＡ１上の位置決め溝Ａ７と伸縮杆カバーＢ２上の位置決め溝Ｂ１４とを位置合わせし、伸縮杆カバーＢ２上のロック凸起１５を係着空洞１０内に挿入し、伸縮杆カバーＡ１の内部の凸起９をロック凸起１５のロック溝１８内で一定の角度回転させることにより、凸起９とロック凸起１５はセルフロック構造を形成し、伸縮杆カバーＡ１と伸縮杆カバーＢ２の係合ロックにより外套杆３と内套杆４との套接固定がさらに実現される。伸縮杆カバーＡ１と伸縮杆カバーＢ２を取り外そうとするときに、凸起９をロック溝１８内で一定の角度に逆回転させれば、伸縮杆カバーＡ１と伸縮杆カバーＢ２を分離することができる。
【００２３】
本考案に係る伸縮杆用ジョイントは、伸縮杆カバーＡ１と伸縮杆カバーＢ２との間に形成されたセルフロック構造により、外套杆３と内套杆４との套接固定を迅速に実現することができ、伸縮杆カバーＡ１と伸縮杆カバーＢ２の係合ロックが便利で速く、時間と労力を節約し、外部ツールを使用する必要がない。また、伸縮杆カバーＡ１と伸縮杆カバーＢ２とが形成したジョイントが強固に固定されるため、ジョイントは、伸縮杆の安定性を保証する十分な支持力を有し、ジョイントが耐えられる径方向荷重が増加するため、重いものを吊るすのに適用し、伸縮杆の使用範囲が広がる。
【００２４】
以上は本考案の好適な実施形態の例であり、詳しく説明されていない部分はいずれも当業者にとって一般的な知識である。本考案の保護範囲は、実用新案登録請求の範囲に準じるものであり、本考案の技術示唆に基づく同等の変換は、いずれも本考案の保護範囲に含まれる。
【符号の説明】
【００２５】
１  伸縮杆カバーＡ、
２  伸縮杆カバーＢ、
３  外套杆、
４  内套杆、
５  套筒、
６  挿接溝、
７  位置決め溝Ａ、
８  環状段差、
９  凸起、
１０  係着空洞、
１１  細い筒体、
１２  太い筒体、
１３  環状凸起、
１４  位置決め溝Ｂ、
１５  ロック凸起、
１６  ロック位置決めリブ、
１７  ロックガイド歯、
１８  ロック溝。
【図１】
0003225401.tif 000003
【図２】
0003225401.tif 000004
【図３】
0003225401.tif 000005
【図４】
0003225401.tif 000006
【図５】
0003225401.tif 000007
【図６】
0003225401.tif 000008
【図７】
0003225401.tif 000009
【図８】
0003225401.tif 000010
【図９】
0003225401.tif 000011
【手続補正書】
【提出日】令和1年12月20日(2019.12.20)
【手続補正１】
【補正対象書類名】実用新案登録請求の範囲
【補正対象項目名】全文
【補正方法】変更
【補正の内容】
【実用新案登録請求の範囲】
【請求項１】
伸縮杆カバーＡ（１）及び伸縮杆カバーＢ（２）を含み、前記伸縮杆カバーＡ（１）と前記伸縮杆カバーＢ（２）の係合ロックにより外套杆（３）と内套杆（４）が套接固定され、
前記伸縮杆カバーＡ（１）は、一方の端部の外側に套筒（５）が設けられ、他方の端部の内側に環状段差（８）が設けられ、前記環状段差（８）の内部に対称に配置される２つの凸起（９）が設けられ、
前記伸縮杆カバーＢ（２）は、細い筒体（１１）及び太い筒体（１２）から構成され、前記細い筒体（１１）の本体の外部に前記凸起（９）とフィットする２つのロック凸起（１５）が設けられることを特徴とする、伸縮杆用ジョイント。
【請求項２】
前記ロック凸起（１５）は、前記細い筒体（１１）の本体の外部に対称に設けられた２つのロック位置決めリブ（１６）を含み、
前記ロック位置決めリブ（１６）の一端には、周方向に沿ってロックガイド歯（１７）が設けられることを特徴とする、請求項１に記載の伸縮杆用ジョイント。
【請求項３】
前記ロックガイド歯（１７）は前記細い筒体（１１）の端面と揃っており、前記ロック位置決めリブ（１６）と前記ロックガイド歯（１７）の間に、前記ロック凸起（１５）と前記凸起（９）を係合してロックするためのロック溝（１８）が形成されることを特徴とする、請求項２に記載の伸縮杆用ジョイント。
【請求項４】
前記凸起（９）の一方の端面は、前記環状段差（８）の段差面と揃っており、前記凸起（９）の頂部は弧状構造であることを特徴とする、請求項１に記載の伸縮杆用ジョイント。
【請求項５】
前記套筒（５）は、前記伸縮杆カバーＡ（１）と一体成形し、前記套筒（５）と前記伸縮杆カバーＡ（１）との間に、前記外套杆（３）の一方の端部が挿入して固定する挿接溝（６）が設けられることを特徴とする、請求項１に記載の伸縮杆用ジョイント。
【請求項６】
前記套筒（５）の上縁に、対称に設けられた２つの位置決め溝Ａ（７）が設けられ、
前記位置決め溝Ａ（７）は、三角形構造であることを特徴とする、請求項１に記載の伸縮杆用ジョイント。
【請求項７】
前記細い筒体（１１）は、前記太い筒体（１２）と中心線が共通し、両者の端部が固定接続され、前記細い筒体（１１）と前記太い筒体（１２）の内部空洞が連通されることを特徴とする、請求項１に記載の伸縮杆用ジョイント。
【請求項８】
前記太い筒体（１２）の一方の端部の外側には、前記太い筒体（１２）の外面が前記内套杆（４）の一方の端部に挿入して位置決めする環状凸起（１３）が設けられることを特徴とする、請求項６に記載の伸縮杆用ジョイント。
【請求項９】
前記環状凸起（１３）には、前記位置決め溝Ａ（７）に対応する位置決め溝Ｂ（１４）が設けられることを特徴とする、請求項８に記載の伸縮杆用ジョイント。
【請求項１０】
前記伸縮杆カバーＡ（１）は、本体が筒状であり、内部に空洞が設けられ、
前記伸縮杆カバーＡ（１）の一方の端部の外側が面取りされ、他方の端部の内側が面取りされることを特徴とする、請求項１に記載の伸縮杆用ジョイント。